(57)【特許請求の範囲】
【請求項１】
レーザ光を発する光源部と、
該光源部から発せられたレーザ光に基づく光ビームが光ディスクに入射し、該光ディスクに記録された情報に応じた変化を受けて得られる、上記光ディスクからの光ビームを検出して読取出力信号を得る第１の受光部と、
該第１の受光部から得られる読取出力信号に基づいて読取情報信号を得る読取信号処理部と、
上記光ディスクに入射すべく該光ディスクに向かう光ビームの一部を検出して、該光ビームにおける変動に応じた変動検出信号を得る第２の受光部と、
上記読取信号処理部から得られる読取情報信号が供給される第１の低域通過フィルタ部，上記第２の受光部から得られる変動検出信号が供給される第２の低域通過フィルタ部，上記第１の低域通過フィルタ部から得られる出力信号と上記第２の低域通過フィルタ部から得られる出力信号とのレベル差に応じたレベルを有する制御信号を得るレベル差検出部，該レベル差検出部から得られる制御信号により制御されて、上記第２の受光部から得られる変動検出信号もしくは該変動検出信号に基づく位相反転された変動検出信号のレベルを調整するレベル調整手段、及び、上記第２の受光部から得られる変動検出信号もしくは上記レベル調整手段から得られるレベル調整された変動検出信号を位相反転させる位相反転部を有し、上記第１の受光部から得られる読取出力信号もしくは上記読取信号処理部から得られる読取情報信号に、上記レベル調整手段もしくは上記位相反転部から得られる位相反転された変動検出信号を加算して、上記読取情報信号に含まれるレーザ雑音成分を低減させる雑音抑制部と、
を備えて構成される光ディスクプレーヤ。
【請求項２】
上記レベル調整手段が、上記第２の受光部から得られる変動検出信号もしくは該変動検出信号に基づく位相反転された変動検出信号のレベルを、上記第１の受光部から得られる読取出力信号に含まれるレーザ雑音成分もしくは上記読取信号処理部から得られる読取情報信号に含まれるレーザ雑音成分のレベルに対応するものとなすことを特徴とする請求項１記載の光ディスクプレーヤ。
【請求項３】
上記第２の受光部から得られる変動検出信号に応じて光源部を略一定パワーのもとでレーザ光を発する状態に維持すべく制御するパワー制御手段を備えることを特徴とする請求項１記載の光ディスクプレーヤ。
【発明の詳細な説明】
【０００１】
【発明の属する技術分野】
本発明は、情報が記録された光ディスクにレーザ光ビームを入射させ、それにより光ディスクから到来するレーザ光ビームを検出して読取出力信号を得、その読取出力信号に基づく情報再生を行う光ディスクプレーヤに関する。
【０００２】
【従来の技術】
情報記録媒体として広く利用されている光ディスクには、一般の利用者にとって、記録された情報の読取りのみが可能とされ、情報の記録を行うことはできないもの，記録された情報の読取りを行えるのみならず、情報の記録を行うこともできるもの等、幾つかの異なる形式をとるものがある。このような光ディスクは、いずれの形式をとるものであっても、それからの情報読取りが行われるに際しては、所定の回転速度をもって回転されるもとで、情報記録面に光ビームが入射せしめられ、情報が記録された部分に対する光ビームによる走査が行われるものとされる。
【０００３】
斯かる光ディスクからの情報の読取りを行って再生情報を得るに使用されるものとして、各種の光ディスクプレーヤが提案されている。光ディスクプレーヤは、基本的な構成要素として、光ディスクを所定の回転速度で回転させるディスク駆動部，回転する光ディスクの情報記録面に光ビームを入射させるとともに、光ディスクからの反射光ビームもしくは透過光ビームを検出し、その検出出力として読取出力信号を得る光学ヘッド部，光学ヘッド部から得られる読取出力信号を処理して読取情報信号を得る読取信号処理部，読取信号処理部から得られる読取情報信号に基づいて情報再生を行う情報再生処理部等を備えている。また、光ディスクプレーヤにあっては、通常、光学ヘッド部から光ディスクの情報記録面に入射せしめられる光ビームの入射位置を適正に維持するためのトラッキングサーボ制御システム、及び、光学ヘッド部から光ディスクの情報記録面に入射せしめられる光ビームの入射位置における集束状態を適正に維持するためのフォーカスサーボ制御システムが設けられる。
【０００４】
このような光ディスクプレーヤにあっては、光ディスクに記録された情報を検出すべく当該光ディスクに入射する光ビームは、レーザ光ビームとされるのが一般的である。即ち、光学ヘッド部において、例えば、単一縦モード発光（単一波長発光）を行う半導体レーザ素子が用いられて構成されるレーザ光源部が設けられ、レーザ光源部が発するレーザ光に基づくレーザ光ビームが形成されて、そのレーザ光ビームが光ディスクに入射せしめられるのである。
【０００５】
そして、光ディスクに入射したレーザ光ビームは、例えば、ディスクに記録された情報に応じた強度変調を受けるとともに光ディスクにおいて反射し、反射レーザ光ビームとして光学ヘッド部に設けられた受光部に導かれる。光ディスクからの反射レーザ光ビームを受けた受光部は、反射レーザ光ビームの強度変調状態に応じた読取出力信号を発生し、それを読取信号処理部へと送出する。
【０００６】
上述の如くの光ディスクプレーヤにおいてレーザ光源部を構成する、単一縦モード発光を行う半導体レーザ素子は、その動作時における温度変化，発したレーザ光が何処かで反射して戻ってくることにより形成される戻り光等の影響を受けて発光モードが遷移し、それに伴って発せられるレーザ光の波長及びパワーが変動するという現象を生じる。このようなレーザ光源部から発せられるレーザ光の波長及びパワーの変動は、受光部からの読取出力信号が供給される読取信号処理部により得られる読取情報信号が、レーザ光の変動に起因する雑音成分（以下、レーザ雑音成分という）を含むことになる事態を生じさせる。
【０００７】
読取情報信号中に含まれるレーザ雑音成分は、読取情報信号のＳ／Ｎ比（信号対雑音比）を低下させ、その結果、読取情報信号に基づいて情報再生を行う情報再生処理部から得られる再生情報に悪影響を及ぼす。斯かる再生情報に対する悪影響は、具体的には、例えば、再生情報として得られるディジタルデータにおけるエラーレートの低下、あるいは、再生情報として得られるアナログ音声もしくは映像信号におけるＳ／Ｎ比の低下等としてあらわれる。
【０００８】
それゆえ、従来、レーザ光源部を構成する半導体レーザ素子が発するレーザ光の波長及びパワーの変動を低減させるべく、単一縦モード発光を行う半導体レーザ素子についての高周波制御，マルチ縦モード発光レーザ素子の使用等の手法がとられている。単一縦モード発光を行う半導体レーザ素子についての高周波制御は、半導体レーザ素子を、例えば、数１００ＭＨｚ程度の高周波数信号によってオン／オフ駆動して動作させる制御とされる。半導体レーザ素子は、その動作がオン状態とされる瞬間にはマルチ縦モード発光を行う性質を有しており、高速でオン／オフ駆動が繰り返されるときには、擬似的にマルチ縦モード発光状態を継続することになる。そして、マルチ縦モード発光状態がとられるもとにあっては、発光モードの遷移が減少されて発せられるレーザ光の波長及びパワーの変動が抑制される。従って、単一縦モード発光を行う半導体レーザ素子についての高周波制御が行われることにより、発せられるレーザ光の波長及びパワーの変動が低減されることになる。
【０００９】
また、マルチ縦モード発光レーザ素子の使用は、構造的な工夫が図られて直流駆動するだけでマルチ縦モード発光状態を継続する半導体レーザ素子を、レーザ光源部を構成すべく使用することとされる。このようなマルチ縦モード発光状態を継続する半導体レーザ素子にあっては、その動作時における温度変化，戻り光等に起因する発光モードの遷移が抑制され、発せられるレーザ光の波長及びパワーの変動が低減されることになる。
【００１０】
【発明が解決しようとする課題】
しかながら、単一縦モード発光を行う半導体レーザ素子についての高周波制御が行われる場合には、高周波発振部，高周波駆動部等を形成する回路構成が必要とされることになってしまう。さらに、半導体レーザ素子により発せられるレーザ光の波長及びパワーの変動が、確かに低減されることにはなるが、依然として或る程度は残されることになり、読取情報信号中に含まれるレーザ雑音成分を充分に抑制することは困難とされる。
【００１１】
また、マルチ縦モード発光レーザ素子が使用される場合には、マルチ縦モード発光レーザ素子が、単一縦モード発光を行う半導体レーザ素子に比して、比較的大なるパワーをもってレーザ光を発するものの作製が困難とされるとともに、寿命が短いという短所を有していることによる不利がまねかれてしまう。さらに、マルチ縦モード発光レーザ素子が使用されるもとにあっても、それにより、半導体レーザ素子により発せられるレーザ光の波長及びパワーの変動が、確かに低減されることにはなるが、依然として或る程度は残されることになり、かつ、マルチ縦モード発光レーザ素子の個体差に起因するレーザ光の波長及びパワーにおける誤差は補正されないことになって、読取情報信号中に含まれるレーザ雑音成分を充分に抑制することは困難とされる。
【００１２】
斯かる点に鑑み、本発明は、光源部から発せられるレーザ光に基づく光ビームを光ディスクに入射させ、光ディスクに記録された情報に応じた変化を受けて得られる光ディスクからの光ビームを検出して読取出力信号を得、さらに、読取出力信号に基づいて読取情報信号を得るにあたり、光源部から発せられるレーザ光が波長及びパワーの変動を伴う場合においても、斯かる変動に起因して読取情報信号に含まれることになるレーザ雑音成分を、比較的簡単な構成をもって、効率よく、充分に抑制することができる光ディスクプレーヤを提供する。
【００１３】
【課題を解決するための手段】
本発明に係る光ディスクプレーヤは、レーザ光を発する光源部と、光源部から発せられたレーザ光に基づく光ビームが光ディスクに入射し、その光ディスクに記録された情報に応じた変化を受けて得られる、光ディスクからの光ビームを検出して読取出力信号を得る第１の受光部と、第１の受光部から得られる読取出力信号に基づいて読取情報信号を得る読取信号処理部と、光ディスクに入射すべく当該光ディスクに向かう光ビームの一部を検出して、それにおける変動に応じた変動検出信号を得る第２の受光部とを備え、さらに、それに加えて、読取信号処理部から得られる読取情報信号が供給される第１の低域通過フィルタ部，第２の受光部から得られる変動検出信号が供給される第２の低域通過フィルタ部，第１の低域通過フィルタ部から得られる出力信号と第２の低域通過フィルタ部から得られる出力信号とのレベル差に応じたレベルを有する制御信号を得るレベル差検出部，レベル差検出部から得られる制御信号により制御されて、第２の受光部から得られる変動検出信号もしくはその変動検出信号に基づく位相反転された変動検出信号のレベルを調整するレベル調整手段、及び、第２の受光部から得られる変動検出信号もしくはレベル調整手段から得られるレベル調整された変動検出信号を位相反転させる位相反転部を有し、第１の受光部から得られる読取出力信号もしくは読取信号処理部から得られる読取情報信号に、レベル調整手段もしくは位相反転部から得られる位相反転された変動検出信号を加算して、読取情報信号に含まれるレーザ雑音成分を低減させる雑音抑制部が設けられて構成される。
【００１４】
このように構成される本発明に係る光ディスクプレーヤにあっては、光ディスクからの光ビームを検出して読取出力信号を得る第１の受光部に加えて、光ディスクに入射すべく当該光ディスクに向かう光ビームの一部を検出して変動検出信号を得る第２の受光部が設けられたもとで、雑音抑制部が、第２の受光部から得られる変動検出信号を位相反転して、第１の受光部から得られる読取出力信号もしくは読取信号処理部から得られる読取情報信号に加算することにより、第２の受光部から得られて位相反転された変動検出信号によって、読取信号処理部から得られる読取情報信号に含まれるレーザ雑音成分を打ち消して低減させることになる動作を行う。
【００１５】
斯かる雑音抑制部は、２つの低域通過フィルタ部，レベル差検出部，レベル調整手段、及び、位相反転部を有し、それらにより、第２の受光部から得られる変動検出信号もしくはその変動検出信号に基づく位相反転された変動検出信号のレベルを、読取信号処理部から得られる読取情報信号の平均レベル成分と第２の受光部から得られる変動検出信号の平均レベル成分との間のレベル差に応じて調整し、読取信号処理部から得られる読取情報信号に含まれるレーザ雑音成分のレベルに対応するものとなした後、レベルが読取信号処理部から得られる読取情報信号に含まれるレーザ雑音成分のレベルに対応するものとされた変動検出信号を、そのままもしくは位相反転して、第１の受光部から得られる読取出力信号もしくは読取信号処理部から得られる読取情報信号に加算するものとされるので、読取信号処理部から得られる読取情報信号に含まれるレーザ雑音成分が、比較的簡単な構成のもとで、効率良く、充分に抑制されることになる。
【００１６】
【発明の実施の形態】
図１は、本発明に係る光ディスクプレーヤに関連する光ディスクプレーヤの第１の例の要部を示す。この図１に示される例においては、光ディスク１０が、ディスク装着部１１に装着され、所定の回転速度をもって回転駆動されるディスク装着部１１に伴って回動する。ディスク１０は、その情報記録面に形成された記録トラックに、例えば、ディジタル情報データが記録されたものとされる。そして、ディスク１０には、光学ヘッド部１２が対向せしめられている。
【００１７】
光学ヘッド部１２にあっては、レーザ光を発する光源部、即ち、レーザ光源部を構成する半導体レーザ素子２１が備えられている。この半導体レーザ素子２１により発せられたレーザ光は、グレーティング板２２において一次光を生成して、コリメータレンズ２３に入射し、コリメータレンズ２３によって平行光化され、一次光によるもの２本を含めて３本の光ビームを形成する。一次光による２本の光ビームは、ディスク１０の情報記録面におけるトラッキングエラーの検出に用いられ、他の１本の光ビームがディスク１０の情報記録面からのディジタル情報データの読取りに用いられる。従って、コリメータレンズ２３以降の光路においては、実際には３本の平行なレーザ光ビームが存在するが、図１においては簡略化のためそれらが１本の線であらわされている。
【００１８】
コリメータレンズ２３からのレーザ光ビームは、ビームスプリッタ２４に入射して、その一部がビームスプリッタ２４において反射して受光部２５に入射し、他の部分がビームスプリッタ２４を通過する。ビームスプリッタ２４を通過したレーザ光ビームは、対物レンズ２６に入射し、対物レンズ２６により集束される状態とされて光学ヘッド部１２から発せられ、ディスク１０の情報記録面に入射する。
【００１９】
対物レンズ２６には、トラッキング制御用のコイル装置を含んで成る駆動手段２７とフォーカス制御用のコイル装置を含んで成る駆動手段２８とが設けられている。これらの駆動手段２７及び２８の作用により、対物レンズ２６についての、ディスク１０の情報記録面に形成された記録トラックを横切る方向、及び、ディスク１０の情報記録面に近接する方向あるいはディスク１０の情報記録面から離隔する方向における位置制御、即ち、トラッキング制御とフォーカス制御とが行われる。
【００２０】
ディスク１０の情報記録面に入射したレーザ光ビームは、ディスク１０の情報記録面における記録トラックに記録されたディジタル情報データ及びディスク１０の情報記録面に形成された記録トラックに応じた強度変化を受けるとともに、その情報記録面において反射し、３本の反射レーザ光ビームとしてディスク１０から戻り、対物レンズ２６を通じて平行光化されてビームスプリッタ２４に入射する。ビームスプリッタ２４に入射した反射レーザ光ビームは、ビームスプリッタ２４において反射し、集光レンズ２９及びシリンドリカルレンズ３０を通じて、受光部３１に入射する。
【００２１】
受光部３１は、所定の配置態様をもって配された複数の光検出素子を内蔵している。そして、受光部３１にあっては、ディスク１０の情報記録面における記録トラックに記録されたディジタル情報データ及びディスク１０の情報記録面に形成された記録トラックに応じた強度変化を有する３本の反射レーザ光ビームが、複数の光検出素子によって個別に検出され、それにより得られる３本の反射レーザ光ビームの夫々についての検出出力信号を含んだ読取出力信号ＳＩが得られる。
【００２２】
受光部３１において得られる読取出力信号ＳＩは、光学ヘッド部１２から送出されて、読取信号処理部３２に供給される。読取信号処理部３２においては、読取出力信号ＳＩに基づいて、ディスク１０の情報記録面に入射するレーザ光ビームの集束状態をあらわすフォーカスエラー信号ＳＦ，ディスク１０の情報記録面に入射する光ビームの入射位置の各記録トラックにおける中心からのずれの状態をあらわすトラッキングエラー信号ＳＴ、及び、ディスク１０の情報記録面における記録トラックから読み取られたディジタル情報データをあらわす読取情報信号ＳＰが形成され、それらが読取信号処理部３２から送出される。
【００２３】
読取信号処理部３２からのフォーカスエラー信号ＳＦ及びトラッキングエラー信号ＳＴは、駆動信号形成部３３に供給される。駆動信号形成部３３においては、フォーカスエラー信号ＳＦに基づくフォーカス制御信号ＳＦＤとトラッキングエラー信号ＳＴに基づくトラッキング制御信号ＳＴＤとが形成され、トラッキング制御信号ＳＴＤがトラッキング制御用のコイル装置を含んで成る駆動手段２７に供給されるとともに、フォーカス制御信号ＳＦＤがフォーカス制御用のコイル装置を含んで成る駆動手段２８に供給される。
【００２４】
また、読取信号処理部３２からの読取情報信号ＳＰは、例えば、１０ＭＨｚ以上とされる比較的広い増幅帯域特性を有した増幅部３４において増幅された後、信号加算部３５において読取情報信号ＳＰＯとされ、等化部３６に供給される。等化部３６においては、読取情報信号ＳＰＯについての周波数特性の補正が行われ、等化部３６から得られる周波数特性が補正された読取情報信号ＳＰＯ’が、データ弁別部３７及びクロック再生部３８に供給される。
【００２５】
クロック再生部３８においては、読取情報信号ＳＰＯ’におけるデータクロックに基づいてクロック信号ＣＫが再生され、そのクロック信号ＣＫがデータ弁別部３７に供給される。データ弁別部３７においては、読取情報信号ＳＰＯ’に対するクロック信号ＣＫに応じたデータ弁別が行われ、読取情報信号ＳＰＯ’に基づくディジタル情報データＤＰが得られる。そして、データ弁別部３７からのディジタル情報データＤＰが復号部３９に供給され、復号部３９においてディジタル情報データＤＰについての復号化処理が行われ、復号部３９から再生出力データＤＯが得られる。
【００２６】
このようなもとで、コリメータレンズ２３からビームスプリッタ２４に入射するレーザ光ビーム、即ち、光ディスク１０に入射すべくコリメータレンズ２３から光ディスク１０に向かうレーザ光ビームの一部が、ビームスプリッタ２４において反射して入射する受光部２５は、受光部３１に内蔵されてディスク１０の情報記録面における記録トラックに記録されたディジタル情報データに応じた強度変化を有する反射レーザ光ビームを検出する光検出素子と同等の光検出素子を内蔵している。そして、受光部２５にあっては、光ディスク１０に入射すべくコリメータレンズ２３から光ディスク１０に向かうレーザ光ビームの一部が検出され、その強度変動に応じた変動検出信号ＳＱが得られる。
【００２７】
この受光部２５から得られる変動検出信号ＳＱは、光ディスク１０に入射すべくコリメータレンズ２３から光ディスク１０に向かうレーザ光ビームの強度変動、従って、レーザ光源部を構成する半導体レーザ素子２１が発するレーザ光における波長及びパワー変動に応じたレベル変化を有するものとされる。そして、変動検出信号ＳＱは、読取信号処理部３２から得られる読取情報信号ＳＰを増幅する増幅部３４と同等の増幅帯域特性を有した増幅部４０により増幅されて、パワー制御信号形成部４１及び位相反転部４２の夫々に供給される。
【００２８】
パワー制御信号形成部４１においては、変動検出信号ＳＱに基づいてパワー制御信号ＳＷＣが形成される。そして、パワー制御信号形成部４１から得られるパワー制御信号ＳＷＣが半導体レーザ素子２１に供給され、半導体レーザ素子２１が発するレーザ光のパワーを一定とするようになす、パワー制御信号ＳＷＣによる半導体レーザ素子２１に対する動作制御が行われる。
【００２９】
また、増幅部４０からの変動検出信号ＳＱが供給される位相反転部４２においては、変動検出信号ＳＱが位相反転される。そして、位相反転部４２から得られる位相反転変動検出信号−ＳＱが信号加算部３５に供給され、信号加算部３５において、増幅部３４からの読取情報信号ＳＰに位相反転変動検出信号−ＳＱが加算される。
【００３０】
増幅部３４から信号加算部３５に供給される読取情報信号ＳＰには、半導体レーザ素子２１が発するレーザ光の波長及びパワーの変動に起因するレーザ雑音成分を含んでいる虞があるが、増幅部４０から得られる変動検出信号ＳＱは、半導体レーザ素子２１が発するレーザ光における波長及びパワー変動に応じたレベル変化を有する信号であって、読取情報信号ＳＰに含まれるレーザ雑音成分と同様なレベル変化を有するものとなり、従って、位相反転部４２から得られる位相反転変動検出信号−ＳＱは、読取情報信号ＳＰに含まれるレーザ雑音成分とは逆位相の関係にあるものとなる。それゆえ、信号加算部３５において読取情報信号ＳＰに位相反転変動検出信号−ＳＱが加算されることにより、読取情報信号ＳＰにレーザ雑音成分が含まれている場合には、その読取情報信号ＳＰに含まれたレーザ雑音成分が、位相反転変動検出信号−ＳＱによって打ち消されて、低減せしめられることになる。
【００３１】
図２（横軸：周波数ｆ，縦軸：レベルＬ）は、増幅部３４から得られるレーザ雑音成分を含んだ読取情報信号ＳＰにおける雑音成分の一例を示している。この例にあっては、雑音成分には、光ディスク１０の情報記録面の状況に応じて生じるディスク雑音成分ＮＤ，増幅部３４に起因する増幅部雑音成分ＮＡＰ、及び、レーザ雑音成分ＮＬＰが含まれている。ディスク雑音成分ＮＤは、光学ヘッド部１２における光学系の空間周波数特性に応じた帯域制限が課せられるので、周波数が比較的高い領域においては、レベルが低下したものとされている。また、読取信号処理部３２と増幅部３４とに起因する増幅部雑音成分ＮＡＰ及びレーザ雑音成分ＮＬＰの夫々のレベルは、情報信号帯域内においては、周波数の如何にかかわらず略一定とされている。
【００３２】
図３（横軸：周波数ｆ，縦軸：レベルＬ）は、増幅部４０から得られる変動検出信号ＳＱの一例を示している。増幅部４０から得られる変動検出信号ＳＱには、増幅部４０に起因する増幅部雑音成分ＮＡＱが含まれることになリ、増幅部４０に起因する増幅部雑音成分ＮＡＱ及び変動検出信号ＳＱの夫々のレベルは、情報信号帯域内においては、周波数の如何にかかわらず略一定とされている。
【００３３】
図４（横軸：周波数ｆ，縦軸：レベルＬ）は、信号加算部３５において、図２に示される如くのディスク雑音成分ＮＤ，増幅部雑音成分ＮＡＰ及びレーザ雑音成分ＮＬＰを含んだ読取情報信号ＳＰに、図３に示される如くの増幅部雑音成分ＮＡＱを含んだ変動検出信号ＳＱが、位相反転された増幅部雑音成分−ＮＡＱを含んだ位相反転変動検出信号−ＳＱとして加算され、その結果、信号加算部３５から得られる読取情報信号ＳＰＯにおける雑音成分の一例を示している。この例にあっては、信号加算部３５から得られる読取情報信号ＳＰＯに含まれる雑音成分は、ディスク雑音成分ＮＤ、及び、増幅部雑音成分ＮＡＰに位相反転された増幅部雑音成分−ＮＡＱが加算されて得られる合成増幅部雑音√（ＮＡＰ2 ＋ＮＡＱ2 ）とされており、レーザ雑音成分ＮＬＰと位相反転変動検出信号−ＳＱとは完全に打ち消し合っている。即ち、位相反転変動検出信号−ＳＱが、読取情報信号ＳＰに含まれたレーザ雑音成分ＮＬＰと、逆位相でかつ等レベルの関係にあるものとされているのである。斯かる際には、信号加算部３５から得られる読取情報信号ＳＰＯが、それに含まれるレーザ雑音成分ＮＬＰが完全に消去されたものとされる。
【００３４】
図５は、信号加算部３５において、レーザ雑音成分ＮＬＰを含んだ読取情報信号ＳＰに位相反転変動検出信号−ＳＱが加算され、その結果、信号加算部３５から得られる読取情報信号ＳＰＯが得られる際における、レーザ雑音成分ＮＬＰと位相反転変動検出信号−ＳＱとの間のレベル差と、読取情報信号ＳＰＯに残存するレーザ雑音成分ＮＬＰとの関係を示している。図５における横軸は、レーザ雑音成分ＮＬＰと位相反転変動検出信号−ＳＱとの間のレベル差のレーザ雑音成分ＮＬＰのレベルに対する比：（ＮＬＰ−ＳＱ）・１００／ＮＬＰ（％）をあらわし、縦軸は、読取情報信号ＳＰＯに残存するレーザ雑音成分ＮＬＰのレベルＮＬＬをあらわしている。
【００３５】
この図５に示される関係から、レーザ雑音成分ＮＬＰと位相反転変動検出信号−ＳＱとの間のレベル差が０、即ち、レーザ雑音成分ＮＬＰと位相反転変動検出信号−ＳＱとが等レベルであるとき、読取情報信号ＳＰＯに残存するレーザ雑音成分ＮＬＰのレベルＮＬＬが０とされること、読取情報信号ＳＰＯに残存するレーザ雑音成分ＮＬＰのレベルＮＬＬを−２０ｄＢ以下とするには、レーザ雑音成分ＮＬＰと位相反転変動検出信号−ＳＱとの間のレベル差のレーザ雑音成分ＮＬＰのレベルに対する比を±１０％以下にすることが必要とされること等が理解される。
【００３６】
上述の如くの図１に示される例において、光学ヘッド部１２に含まれる受光部２５からの変動検出信号ＳＱを増幅する増幅部４０及び増幅部４０により増幅された変動検出信号ＳＱを位相反転する位相反転部４２は、信号加算部３５において、読取信号処理部３２から得られて増幅部３４により増幅された読取情報信号ＳＰに、位相反転部４２から得られる位相反転変動検出信号−ＳＱを加算して、信号加算部３５から得られる読取情報信号ＳＰＯに含まれるレーザ雑音成分を低減させる雑音抑制部を形成している。
【００３７】
図６は、本発明に係る光ディスクプレーヤに関連する光ディスクプレーヤの第２の例の要部を示す。この図６に示される例は、図１に示される例に、その位相反転部４２と信号加算部３５との間にレベル制御部４６が加えられたものに相当する。従って、図６に示される例は、その大部分が図１に示される例と同様に構成されており、図６において、図１に示される各部及び各信号に対応する部分及び信号には、図１と共通の符号が付されていて、それらについての重複説明は省略される。
【００３８】
図６に示される例において、位相反転部４２と信号加算部３５との間に配されたレベル制御部４６は、位相反転部４２から得られる位相反転変動検出信号−ＳＱのレベルを調整して、レベル調整がなされた位相反転変動検出信号−ＳＱを信号加算部３５に供給する。信号加算部３５に供給されたレベル調整がなされた位相反転変動検出信号−ＳＱは、増幅部３４から信号加算部３５に供給される読取情報信号ＳＰに加算される。レベル制御部４６による位相反転部４２から得られる位相反転変動検出信号−ＳＱに対するレベル調整は、例えば、レベル制御部４６が手動調整されることにより行われる。
【００３９】
このような図６に示される例にあっては、レベル制御部４６を調整することにより、位相反転変動検出信号−ＳＱのレベルを、増幅部３４から得られる読取情報信号ＳＰに含まれるレーザ雑音成分のレベルと等しくなるようにでき、その結果、信号加算部３５から得られる読取情報信号ＳＰＯに残存するレーザ雑音成分を、略０もしくは極めて小となるように低減することが可能とされる。そして、図６に示される例にあっては、増幅部４０，位相反転部４２及びレベル制御部４６が、信号加算部３５から得られる読取情報信号ＳＰＯに含まれるレーザ雑音成分を低減させる雑音抑制部を形成している。
【００４０】
図７は、本発明に係る光ディスクプレーヤの一例の要部を示す。この図７に示される例は、図６に示される例に、そのレベル制御部４６に関連した制御信号形成部としての役割を果たす、ＬＰＦ４８，ＬＰＦ４９及びレベル比較部５０が加えられたものに相当する。従って、図７に示される例も、その大部分が図１及び図６に示される例と同様に構成されており、図７において、図１及び図６に示される各部及び各信号に対応する部分及び信号には、図１及び図６と共通の符号が付されていて、それらについての重複説明は省略される。
【００４１】
図７に示される例において、ＬＰＦ４８は、増幅部３４から得られる読取情報信号ＳＰが供給され、読取情報信号ＳＰの低周波数成分（平均レベル成分）を取り出して平均レベル信号ＳＶＰとなし、また、ＬＰＦ４９は、増幅部４０から得られる変動検出信号ＳＱが供給され、変動検出信号ＳＱの低周波数成分（平均レベル成分）を取り出して平均レベル信号ＳＶＱとなす。ＬＰＦ４８から得られる平均レベル信号ＳＶＰ及びＬＰＦ４９から得られる平均レベル信号ＳＶＱは、レベル比較部５０に供給され、レベル比較部５０からは、平均レベル信号ＳＶＰのレベルと平均レベル信号ＳＶＱのレベルとの差に応じたレベルを有する比較出力信号が、制御信号ＳＶＣとして得られる。このレベル比較部５０から得られる制御信号ＳＶＣはレベル制御部４６に供給され、レベル制御部４６における位相反転変動検出信号−ＳＱに対するレベル調整が、制御信号ＳＶＣに応じて制御される。
【００４２】
それにより、レベル制御部４６から得られて信号加算部３５に供給される位相反転変動検出信号−ＳＱのレベルが、読取情報信号ＳＰの平均レベル成分と変動検出信号ＳＱの平均レベル成分との間のレベル差に応じて制御されて、増幅部３４から得られて信号加算部３５に供給される読取情報信号ＳＰに含まれたレーザ雑音成分のレベルに対応するものとされ、信号加算部３５から得られる読取情報信号ＳＰＯに残存するレーザ雑音成分が、略０もしくは極めて小となるように低減されることになる。斯かる図７に示される例にあっては、増幅部４０，位相反転部４２，レベル制御部４６，ＬＰＦ４８及び４９及びレベル比較部５０が、信号加算部３５から得られる読取情報信号ＳＰＯに含まれるレーザ雑音成分を低減させる雑音抑制部を形成している。
【００４３】
上述の図７に示される例においては、位相反転部４２から得られる位相反転変動検出信号−ＳＱがレベル制御部４６を通じて得られるレベル制御された位相反転変動検出信号−ＳＱが、読取信号処理部３２から得られる読取情報信号ＳＰに加算されて、読取情報信号ＳＰに含まれるレーザ雑音成分を低減させるものとされているが、本発明に係る光ディスクプレーヤにあっては、位相反転部４２から得られる位相反転変動検出信号−ＳＱがレベル制御部４６を通じて得られるレベル制御された位相反転変動検出信号−ＳＱが、光学ヘッド部１２に含まれた受光部３１から読取信号処理部３２に供給される読取出力信号ＳＩに加えられ、その結果、読取信号処理部３２から得られる読取情報信号ＳＰに含まれるレーザ雑音成分を低減させるものとされてもよい。斯かる際には、位相反転部４２から得られる位相反転変動検出信号−ＳＱがレベル制御部４６を通じて得られるレベル制御された位相反転変動検出信号−ＳＱのレベルが、受光部３１から読取信号処理部３２に供給される読取出力信号ＳＩに含まれる、レーザ雑音成分に対応する雑音成分のレベルに相当するものとなるように調整される。
【００４４】
さらに、上述の図７に示される例においては、増幅部４０から得られる変動検出信号ＳＱが位相反転部４２に供給され、位相反転部４２から得られる位相反転変動検出信号−ＳＱがレベル制御部４６によってレベル調整されるようになされているが、増幅部４０から得られる変動検出信号ＳＱがレベル制御部４６によってレベル調整されて位相反転部４２に供給され、位相反転部４２からレベル調整された位相反転変動検出信号−ＳＱが得られるようにされてもよい。
【００４５】
【発明の効果】
以上の説明から明らかな如く、本発明に係る光ディスクプレーヤにあっては、光ディスクからの光ビームを検出して読取出力信号を得る第１の受光部に加えて、光ディスクに入射するレーザ光の一部を検出して変動検出信号を得る第２の受光部が設けられたもとで、雑音抑制部が、第２の受光部から得られる変動検出信号を位相反転して、第１の受光部から得られる読取出力信号もしくは読取信号処理部から得られる読取情報信号に加算することにより、第２の受光部から得られて位相反転された変動検出信号によって、読取信号処理部から得られる読取情報信号に含まれるレーザ雑音成分を打ち消して低減させることになる動作を行う。
【００４６】
斯かる雑音抑制部は、２つの低域通過フィルタ部，レベル差検出部，レベル調整手段、及び、位相反転部を有し、それらにより、第２の受光部から得られる変動検出信号もしくはその変動検出信号に基づく位相反転された変動検出信号のレベルを、読取信号処理部から得られる読取情報信号の平均レベル成分と第２の受光部から得られる変動検出信号の平均レベル成分との間のレベル差に応じて調整し、読取信号処理部から得られる読取情報信号に含まれるレーザ雑音成分のレベルに対応するものとなした後、レベルが読取信号処理部から得られる読取情報信号に含まれるレーザ雑音成分のレベルに対応するものとされた変動検出信号を、そのままもしくは位相反転して、第１の受光部から得られる読取出力信号もしくは読取信号処理部から得られる読取情報信号に加算するものとされるので、読取信号処理部から得られる読取情報信号に含まれるレーザ雑音成分を、比較的簡単な構成のもとで、効率良く、充分に抑制することができる。
【図面の簡単な説明】
【図１】本発明に係る光ディスクプレーヤに関連する光ディスクプレーヤの第１の例の要部を示すブロック接続図である。
【図２】図１に示される例における雑音低減動作の説明に供される特性図である。
【図３】図１に示される例における雑音低減動作の説明に供される特性図である。
【図４】図１に示される例における雑音低減動作の説明に供される特性図である。
【図５】図１に示される例における雑音低減動作の説明に供される特性図である。
【図６】本発明に係る光ディスクプレーヤに関連する光ディスクプレーヤの第２の例の要部を示すブロック接続図である。
【図７】本発明に係る光ディスクプレーヤの一例の要部を示すブロック接続図である。
【符号の説明】
１０  光ディスク      １１  ディスク装着部      １２  光学ヘッド部      ２１  半導体レーザ素子      ２２  グレーティング板      ２３  コリメータレンズ      ２４  ビームスプリッタ      ２５，３１  受光部      ２６  対物レンズ      ３２  読取信号処理部      ３３  駆動信号形成部      ３４，４０  増幅部      ３５  信号加算部      ３６  等化部      ３７  データ弁別部      ３８  クロック再生部      ３９  復号部      ４１  パワー制御信号形成部      ４２  位相反転部      ４６  レベル制御部      ４８，４９  ＬＰＦ      ５０  レベル比較部
【図１】
0003622373.tif 000002
【図２】
0003622373.tif 000003
【図３】
0003622373.tif 000004
【図４】
0003622373.tif 000005
【図５】
0003622373.tif 000006
【図６】
0003622373.tif 000007
【図７】
0003622373.tif 000008